(57)【特許請求の範囲】
【請求項１】
基板の少なくとも一辺に設けられた書類保持部に対して作用する弾性スライダの弾力により、基板に載置された書類を基板と書類保持部との間に挟んで綴じる書類挟みであって、
前記書類保持部は、前記基板に添接され、当該基板と接する面から突設する突起部を有し、
当該突起部は、前記基板に設けられた孔部を貫通して当該基板の前記書類保持部が添接された面の反対側の面側に突き出し、
前記弾性スライダは、可撓性を有し、断面略コの字形状であって、前記書類保持部が前記基板に添接された状態で当該書類保持部と当該基板とを共に挟み、当該書類保持部と前記反対側の面とに接しながら前記基板の一辺と略直交する方向にスライド移動可能に形成され、前記書類保持部と前記基板とを共に挟んだ状態において、前記書類保持部に接する面の反対側の面の、スライド方向と平行な関係にある両辺が前記突起部と略接し続けることにより前記弾性スライダのスライド方向と直行する方向への移動が規制されるように配置された書類挟み。
【請求項２】
前記書類保持部は、
少なくとも、一体に形成された第一平板部と第二平板部と、当該第一平板部とヒンジを介して接続されるベース部とを有し、
前記弾性スライダが前記基板の一辺に近づく方向にスライド移動したときに、当該弾性スライダの弾力により前記第一平板部が前記ヒンジを中心に旋回することで前記基板に近づく方向に押圧され、
前記弾性スライダが前記基板の一辺から離れる方向にスライド移動したときに、当該弾性スライダの弾力により前記第二平板部が押圧されることで、前記第一平板部を前記基板に近づく方向とは逆の方向に作用する力が作用して、前記第一平板部が前記ヒンジを中心に旋回することで前記基板から離れる方向に移動するように形成された請求項１に記載の書類挟み。
【請求項３】
基板の少なくとも一辺に設けられた書類保持部に対して作用する弾性スライダの弾力により、基板に載置された書類を基板と書類保持部との間に挟んで綴じる書類挟みであって、
前記書類保持部は、前記基板に添接され、当該基板と接する面から突設する突起部を有し、
当該突起部は、前記基板に設けられた孔部を貫通して当該基板の前記書類保持部が添接された面の反対側の面側に突き出し、
前記弾性スライダは、可撓性を有し、断面略コの字形状であって、前記書類保持部が前記基板に添接された状態で当該書類保持部と当該基板とを共に挟み、当該書類保持部と前記反対側の面とに接しながら前記基板の一辺と略直交する方向にスライド移動可能に形成され、
前記弾性スライダは、
前記書類保持部と前記基板とを共に挟んだ状態において、前記書類保持部に接する面の反対側の面の、スライド方向と平行な関係にある両辺に一対の切り欠き部を有し、
前記突起部は、前記基板に設けられた前記孔部を貫通し、前記弾性スライダがスライド移動する際に前記切り欠き部と前記突起部とが近接するように位置し、
前記突起部の端部には、当該突起部から側方に突き出した鍔部を形成し、
当該鍔部は、前記弾性スライダの前記反対面側の面の一部と接している書類挟み。
【発明の詳細な説明】
【技術分野】
【０００１】
この発明は、弾性スライダをスライド移動させることで書類を挟持するか開放するかを選択する書類挟みに関し、弾性スライダの弾力により、書類保持部が基板に添接された状態で当該書類保持部と当該基板とを共に挟んで固定する構造とすることで、基板の構造を簡便化することがことができるようにしたものである。
【背景技術】
【０００２】
従来、基板、押え板、弾性スライダとから用箋挾を構成し、基板の一端上面に揺動係止部を設け、押え板を当該基板に対して揺動可能に支持し、基板と押え板との間に、紙葉類を挟んだ状態で、弾性スライダをスライドさせることで、押え板を基板に向かって弾性的に押圧していた（特許文献１の段落番号「００１１」、「００２５」〜「００２７」、図１、図９及び図１０参照）。
【０００３】
上記した従来の基板の一端両側縁には、弾性スライダが当該基板に対する幅方向に移動することを規制するために、当該基板の平面と直交するよう設けられた一対の案内板を備え、当該一対の案内板の対向する両面に、それぞれ内面に向けて形成され、弾性スライダに対して揺動可能かつ係脱可能に設けられた一対のピンを備えていた（特許文献１の段落番号「００１４」、「００１８」及び図３参照）。上記した従来の押え板は、一対のピンを介して基板に対して揺動可能に支持されていた（特許文献１の図９及び図１０参照）。
【０００４】
上記した従来の基板には、その一端上面に立設したリムと、当該リムの両端部を基板の裏面まで延設して形成されたストッパと、リムの側端部底面に設けた段付部とを備えていた（特許文献１の段落番号「００１４」、「００１５」及び図３参照）。
【０００５】
上記ストッパにより、弾性スライダを基板に対し引き出す方向にスライドさせた場合の最大引き出し位置を規制させていた（特許文献１の段落番号「００２６」及び図９参照）。また、リムの底面に設けた段付部により、弾性スライダを基板に対し押し込む方向にスライドさせた場合の最大押し込み位置を規制させていた（特許文献１の段落番号「００２７」及び図１０参照）。
【先行技術文献】
【特許文献】
【０００６】
【特許文献１】実用新案登録第２５９７１９２号公報
【発明の概要】
【発明が解決しようとする課題】
【０００７】
しかし、上記した特許文献１に記載された従来の用箋挾では、押え板を基板に揺動可能に支持していたため、この構造を実現するためには、ピンを備える案内板を基板に設ける必要があるため、一体で作成するか又はこれらを基板に対する溶着や接着によって設ける必要があるとともに、基板に対する押え板の取り付けが面倒であるという問題点があった。
【０００８】
また、従来の用箋挾は、基板に案内板を設け、弾性スライダを当該案内板に当接させてスライド方向と直行する方向の移動を規制しており、さらにストッパを基板に設け、当該ストッパによりスライド方向の移動を規制していたので、基板の構造が複雑となり、このような構造を一体成形や溶着、接着によって実現する場合、使用する材質（例えばポリプロピレン等）に限られてしまうという問題点があった。
【０００９】
本発明は、このような課題に着目して案出されたものであり、従来のように押え板を基板に揺動可能に支持せず、さらに従来の弾性スライダの移動規制手段やストッパを基板に設けず、書類保持部を基板に添接させた状態で弾性スライダの弾力により書類保持部と基板とを共に挟み込み、弾性スライダの移動規制手段を書類保持部に設けた綴じ具を提供する。
【課題を解決するための手段】
【００１０】
基板の少なくとも一辺に設けられた書類保持部に対して作用する弾性スライダの弾力により、基板に載置された書類を基板と書類保持部との間に挟んで綴じる書類挟みであって、書類保持部は、基板に添接され、当該基板と接する面から突設する突起部を有し、当該突起部は、基板に設けられた孔部を貫通して当該基板の書類保持部が添接された面の反対側の面側に突き出し、弾性スライダは、可撓性を有し、断面略コの字形状であって、書類保持部が基板に添接された状態で当該書類保持部と当該基板とを共に挟み、当該書類保持部と反対側の面とに接しながら基板の一辺と略直交する方向にスライド移動可能に形成され、書類保持部と基板とを共に挟んだ状態において、書類保持部に接する面の反対側の面の、スライド方向と平行な関係にある両辺が突起部と略接し続けることにより弾性スライダのスライド方向と直行する方向への移動が規制されるように配置された。
【００１１】
書類保持部は、少なくとも、一体に形成された第一平板部と第二平板部と、当該第一平板部とヒンジを介して接続されるベース部とを有し、弾性スライダが基板の一辺に近づく方向にスライド移動したときに、当該弾性スライダの弾力により第一平板部がヒンジを中心に旋回することで基板に近づく方向に押圧され、弾性スライダが基板の一辺から離れる方向にスライド移動したときに、当該弾性スライダの弾力により第二平板部が押圧されることで、第一平板部を基板に近づく方向とは逆の方向に作用する力が作用して、第一平板部がヒンジを中心に旋回することで基板から離れる方向に移動するように形成された。
【００１２】
基板の少なくとも一辺に設けられた書類保持部に対して作用する弾性スライダの弾力により、基板に載置された書類を基板と書類保持部との間に挟んで綴じる書類挟みであって、書類保持部は、基板に添接され、当該基板と接する面から突設する突起部を有し、当該突起部は、基板に設けられた孔部を貫通して当該基板の書類保持部が添接された面の反対側の面側に突き出し、弾性スライダは、可撓性を有し、断面略コの字形状であって、書類保持部が基板に添接された状態で当該書類保持部と当該基板とを共に挟み、当該書類保持部と反対側の面とに接しながら基板の一辺と略直交する方向にスライド移動可能に形成され、弾性スライダは、書類保持部と前記基板とを共に挟んだ状態において、書類保持部に接する面の反対側の面の、スライド方向と平行な関係にある両辺に一対の切り欠き部を有し、突起部は、基板に設けられた孔部を貫通し、弾性スライダがスライド移動する際に切り欠き部と突起部とが近接するように位置し、突起部の端部には、当該突起部から側方に突き出した鍔部を形成し、当該鍔部は、弾性スライダの反対面側の面の一部と接している。
【００１３】
本発明は、書類保持部を基板に添接させ、弾性スライダの弾力により当該書類保持部と基板とを共に挟み込むものである。
すなわち、本発明の書類保持部は、従来の押え板に相当する第一平板部と、基板に接するベース部とを有し、第一平板部は、ヒンジを介してベース部に接続されている。
【００１４】
さらに本発明は、書類保持部を基板に添接させる際にベース部と基板とが接する面から突出する突起部を有し、当該突起部が基板に設けられた孔部を貫通しており、さらに突起部の端部に当該突起部から側方に突き出した鍔部を形成し、弾性スライダがスライド移動する際に、突起部の内面や当該鍔部が、弾性スライダの一部と当接するか、近傍に位置し続けるか、これら何れかの状態が実現するように形成されている。
【発明の効果】
【００１５】
本発明は、以上のように構成されているので、以下に記載されるような効果を奏する。
すなわち、本発明によれば、従来の押え板を揺動可能に支持するための構造が、本発明の基板には不要とすることができる。
このため、本発明によれば、基板に特別な加工が不要であり、このような加工が困難な材質、例えば３層発泡ＰＰシート（軽量な発泡剤の厚肉シートの両面をポリプロピレンの薄肉シートで挟んだシート）や板紙などを採用することが出来るため、質感や見た目を、材質による拘束を受けずに自由に設定できるという利点がある。
【００１６】
これに加え、本発明によれば、従来の弾性スライダのスライド移動を規制するための移動規制手段を基板と一体に形成したり、基板に対して溶着や接着により接続したりして設ける必要が無い。
また、本発明によれば、突起部が、弾性スライダがスライド移動する際に弾性スライダの一部と当接するか、近傍に位置し続けるか、これら何れかの状態が実現するように形成されていることで、弾性スライダは、そのスライド方向にもそれと直行する方向にも、書類保持部に対して抜けることがない。
【００１７】
さらに本発明は、突起部の端部に鍔部を形成し、当該鍔部が弾性スライダの下面、すなわち書類を挟持する面の反対面と当接することで、弾性スライダが弾性変形して基板の下方向に外れる動きを規制するようにしたものである。
すなわち、本発明の突起部は、弾性スライダのスライド方向とその直行方向の移動を規制する移動規制手段と、弾性スライダが基板の下方向に弾性変形して外れるのを規制する離脱防止手段とを兼ねている。
【００１８】
また、本発明によれば、突起部が、基板に設けられた孔部を貫通しているため、書類保持部を基板に添接した状態で弾性スライダを装着する際に書類保持部が基板に対して位置がずれるのを防ぐ係止手段となり、当該係止手段を、溶着や接着によらずに実現することができる。
【図面の簡単な説明】
【００１９】
【図１】弾性スライダを非挟持位置とした書類挟みの一部断面図である。
【図２】基板の平面図である。
【図３】書類挟みの側面図である。
【図４】裏表紙の一部平面図、書類保持部の平面図、及び弾性スライダの一部断面図である。
【図５】書類保持部の底面図である。
【図６】書類保持部と弾性スライダとのそれぞれの断面図である。
【図７】裏表紙の一部断面図である。
【図８】弾性スライダを挟持位置とした書類挟みの一部断面図である。
【図９】裏表紙、書類保持部及び弾性スライダを分解した一部断面図である。
【図１０】裏表紙、書類保持部及び弾性スライダを組み付けた状態の一部断面図である。
【図１１】書類保持部の突起部と弾性スライダの切り欠き部とが近接している状態を説明するものであり、弾性スライダが非挟持位置である状態の一部底面図である。
【図１２】図１１に対応し、弾性スライダが挟持位置である状態の一部底面図である。
【発明を実施するための形態】
【００２０】
（書類挟み10）
図２中、10は、書類挟みを示し、この書類挟み10は、基板20の一辺、例えば上辺に設けられ、図３に示すように、弾性スライダ50が、弾力により書類保持部40を挟み、さらに基板20と書類保持部40との間に書類30を挟み込んで綴じるものである。
なお、弾性スライダ50と書類保持部40とを基板20の上辺に設けたが、これに限定されず、他の側辺の一方、或いは両方、若しくは下辺に設けても良いし、１組に限らず、複数組設けても良い。
【００２１】
（基板20）
基板20は、図２に示すように、表表紙21と裏表紙22とを中央の折曲部23を介して、見開き可能に結合したものである。
なお、基板20を、見開き可能な表表紙21と裏表紙22とから構成したが、これに限定されず、表表紙21と裏表紙22とのいずれか一方より構成しても良い。
裏表紙22の上辺には、後述する弾性スライダ50と書類保持部40とを設け、裏表紙22の見開き面に書類30を置き、当該書類30を裏表紙22と書類保持部40との間に挟み込むことができるようにしている。
【００２２】
一方、表表紙21の上辺には、下方に向かって凹状に切り欠いて形成した窓部24を設け、基板20を折曲部23から二つ折りに折り畳んだ状態で、当該窓部24に弾性スライダ50が臨むようにしている。
裏表紙22の上辺には、図４に示すように、書類保持部40の取付位置に、下方に向かって凹状に切り欠いて形成した段部25を形成している。段部25は、弾性スライダ50を裏表紙22に接する位置にスライド移動させた際の受け部を形成し、左右の横幅は、弾性スライダ50の全長にほぼ等しく設定している。
段部25の下側には、左右両側に、書類保持部40を添接する位置を仮決めするための孔部26,26を左右一対形成している。孔部26は、左右に長い長円形に形成され、図９に示すように、裏表紙22の表裏面を貫通している。
【００２３】
また、左右の孔部26,26の内側には、図４に示すように、書類保持部40を添接する位置の仮決めをより確実にするためのボス穴27を設けもよい。ボス穴27は、円形に形成され、図９に示すように、裏表紙22の表裏面を貫通している。
なお、ここではボス穴27を３個設けたが、これに限定されず、単数、或いは２個又は４個以上設けてもよい。
【００２４】
（書類保持部40）
書類保持部40は、図４に示すように、裏表紙22の上辺に沿って長く延び、後述する突起部70を介して、上辺に沿って取り付けられ、裏表紙22の見開き面に載置した書類30を、同じく後述する第一平板部80と当該見開き面との間に挟み込むものである。書類保持部40は、適度な弾性と剛性とを有する樹脂により一体に形成されている。
書類保持部40の全長は、裏表紙22の上辺の横幅より短く設定されている。
【００２５】
具体的には、書類保持部40は、図４〜６に示すように、次の各部を有する。
なお、次の（１）〜（４）については、後述する。
（１）ベース部60
（２）突起部70
（３）第一平板部80
（４）第二平板部81
なお、書類保持部40の各部は、上記した（１）〜（４）に限定されない。
【００２６】
（弾性スライダ50）
弾性スライダ50は、図６に示すように、断面略コの字状であって、当該コの字状部分において書類保持部40と、基板20の裏表紙22とを挟み込むものである。弾性スライダ50は、書類保持部40と同様に、裏表紙22の上辺に沿って長く延び、適度な弾性と剛性とを有する樹脂により形成されている。
【００２７】
弾性スライダ50の全長は、図４に示すように、書類保持部40の全長にぼぼ等しく設定されている。
図８に示すように、弾性スライダ50が基板の一辺に近づく方向にスライド移動したときに、弾性スライダ50が第一平板部80を基板20に近づく方向に押圧し、書類を挟持する状態となり、図１に示すように、弾性スライダ50が基板の一辺から離れる方向にスライド移動したときに、弾性スライダ50が第二平板部81を押圧して第一平板部80が基板から離れる方向に移動し、書類の挟持を開放するように形成されている。弾性スライダ50が、図１に示すように、挟持位置にあるときに、接合部40の後述する第一平板部80を押圧して書類保持部40が倒伏する。また、弾性スライダ50が、図８に示すように、非挟持位置にあるときに、接合部40の後述する第二平板部81を押圧して書類保持部40が起立するように形成されている。
【００２８】
具体的には、弾性スライダ50は、図６に示すように、次の各部を有する。
なお、弾性スライダ50は、次の（１）〜（３）に限定されない。
【００２９】
（１）摺動部51
摺動部51は、図１、図４及び図６に示すように、裏表紙22の裏面と平行に位置し、裏表紙22の上辺に沿って長く延びた板状に形成されている。
摺動部51の長手方向の両側には、図４に示すように、左右の端面から中央に向かって凹状に切り欠いた左右一対の切り欠き部54が設けられている。
切り欠き部54は、一側面が摺動部51の長手方向の外側に向かって開放し、この開放面と反対側の内奥に位置し、弾性スライダ50のスライド方向に沿って延びる切り欠き部54の奥側端部と、裏表紙22の上辺側に位置する切り欠き部54の上側端部と、裏表紙22の下辺側に位置する切り欠き部54の下側端部とで三方が囲まれる内側に形成されている。
【００３０】
切り欠き部54の奥側端部には、図４に示すように、その長さの途中に、半円形に窪んだ窪み部55を設けている。
窪み部55は、弾性スライダ50を基板の一辺に近づく方向にスライド移動させる際に、図１１に示すように、突起部70の外周の一部がはまり込むことで、弾性スライダ50のスライド動作に節度感、すなわちクリック感を与えている。
【００３１】
（２）側壁部52
側壁部52は、図１、図４及び図６に示すように、摺動部51の端部から断面Ｌ字形に折れ曲がって、裏表紙22の上辺に沿って裏面側から見開き面側に向かって延びている。側壁部52の高さは、裏表紙22の厚みより長く設定されている。
【００３２】
（３）押圧部53
押圧部53は、図６に示すように、側壁部52の端部から断面Ｌ字形に折れ曲がって、摺動部51と同方向に延びている。押圧部53は、摺動部51に向かって湾曲しながら延びている。
【００３３】
（ベース部60）
ベース部60は、図１及び図４〜６に示すように、一体に形成され、裏表紙22の見開き面の上辺に沿って長く延びた板状に形成され、裏表紙22の見開き面の上辺に沿って取り付けられる。
図６において、右側は裏表紙22の見開き面の上辺側であり、左側は裏表紙22の見開き面の下辺側であり、上下方向は書類挟みの厚さ方向を示す。
ベース部60は、図６における右側の端部から左側にかけて延びる第一面部64と、当該第一面部64の左端部から上方に向かって略直角に延びる立上り部61と、当該立上り部61の上端部から左側にかけて延びる第二面部65を有し、第二面部65の左端部に、後述する第一平板部80がヒンジ82を介して連結される。
【００３４】
立上り部61の上端部には、図６において斜面を右側に向け、切り立った面を第一平板部80に向けた断面三角形状の爪部62を突出している。
爪部62は、その斜面を弾性スライダ50の装着方向に位置させ、当該斜面を利用して弾性スライダ50を拡開させる作用がある。また、爪部62の切り立った面は、弾性スライダ50の装着後、弾性スライダ50を裏表紙22の見開き面の上辺側から離れる方向にスライドさせた際に、弾性スライダ50の押圧部53の自由端部に当接することで、書類保持部40から弾性スライダ50が外れるのを防止する作用がある。
【００３５】
また、ベース部60には、図４及び図９〜１２に示すように、裏表紙22の見開き面と接する面から裏表紙22の厚み方向、すなわち図９において、下面から下方に向かって円柱形に伸びるボス63を複数個、例えば裏表紙22のボス穴27と同数の３個設けている。ボス63は、裏表紙22のボス穴27にはまり込むものであり、その高さを裏表紙22の厚さ以下に設定している。
【００３６】
ボス63は、書類保持部40を裏表紙22に添接させた状態で弾性スライダ50をはめ込んで固定する過程で、書類保持部40の位置がずれるのを防ぐために、裏表紙22のボス穴27にはめ込んで書類保持部40を裏表紙22に対して仮固定することを目的としている。
なお、ボス63を、ボス穴27と同数の３個設けたが、これに限定されず、単数、或いは２個又は３個以上設けたり、ボス穴27の数より少ない数としても良い。
【００３７】
（突起部70）
突起部70は、裏表紙22の見開き面と接するベース部60の面、すなわち図６において下面から下方に向かって円柱形に延びている。突起部70は、図５に示すように、ベース部60の長手方向の左右両端部に一対形成され、当該ベース部60に対して一体に形成されている。突起部70は、図９及び図１０に示すように、裏表紙22の孔部26を貫通することで、書類保持部40を裏表紙22に対して仮固定させるものである。
なお、突起部70を、円柱形に形成したが、これに限定されない。
【００３８】
突起部70は、その高さを裏表紙22の厚さより高く設定し、その先端部が裏表紙22の孔部26を貫通して、裏表紙22の見開き面と反対側の裏側より突出する。
突起部70の先端部は、裏表紙22の孔部26を貫通して裏側より突出し、弾性スライダ50の切り欠き部54内に突入する。突起部70の外周は、弾性スライダ50のスライド方向に沿って延びる切り欠き部54の奥側端部に沿って位置する。また、突起部70の外周は、弾性スライダ50を裏表紙22の見開き面の上辺側から離れる方向にスライド移動させた際に、図１１に示すように、裏表紙22の下辺側に位置する切り欠き部54の下側端部と対向して位置し、弾性スライダ50を書類保持部40から引き抜こうとすると、突起部70の外周が切り欠き部54の下側端部と当接することで、弾性スライダ50が書類保持部40から抜けるのを阻止する。これに対し、弾性スライダ50を逆に裏表紙22の見開き面の上辺側に近づく方向にスライド移動させた際に、図１２に示すように、裏表紙22の上辺側に位置する切り欠き部54の上側端部と対向して位置する。
【００３９】
また、裏表紙22の裏側より突出する突起部70の先端部には、鍔部71を設けている。
鍔部71は、左右の突起部70の先端部にそれぞれ形成され、互いに側方である内側に向かって断面Ｌ字形に突出している。鍔部71は、図１１に示すように、平面Ｄ形に形成され、当該「Ｄ」の湾曲した部分は、突起部70の外周に沿って位置し、「Ｄ」の方形の部分が、突起部70の外周より張り出している。
【００４０】
鍔部71は、弾性スライダ50の摺動部51の裏面と、裏表紙22の厚み方向において一部重なり合う。このため、弾性スライダ50の摺動部51が裏表紙22の裏面方向に弾性変形して外れる動きを規制することができる。
なお、鍔部71を、平面Ｄ形に形成したが、これに限定されない。
【００４１】
（第一平板部80）
第一平板部80は、図４〜６に示すように、ヒンジ82を介してベース部60の立上り部61の上端部に連接し、裏表紙22の見開き面に向かって湾曲しながら延びている。
第一平板部80は、弾性スライダ50が裏表紙22の見開き面の上辺側に近づく位置にあるときに、図１に示すように、その押圧部53の先端部により裏表紙22の見開き面に向かって押圧されて倒伏する。これに対し、弾性スライダ50が裏表紙22の見開き面の上辺側から離れる位置にあるときには、図８に示すように、第一平板部80は、弾性スライダ50の押圧部53による押圧力が開放される。
【００４２】
第一平板部80は、ヒンジ82を介して起立（図１参照）および倒伏（図８参照）が可能にベース部60に接続されている。
ヒンジ82は、薄肉に形成され、図４及び図５に示すように、第一平板部80の長手方向の中央と左右の両側との計３箇所に形成されている。
なお、ヒンジ82を、３箇所に分けて形成したが、これに限定されず、単数、或いは２箇所又は４箇所以上に分けて形成しても良い。
【００４３】
（第二平板部81）
第二平板部81は、図４〜６に示すように、第一平板部80の一部を、コ字形に切り欠き、当該切欠部83で囲まれた凸状の部分を、裏表紙22の見開き面から離れる方向に「へ」の字形に引き起こして形成している。第二平板部81は、書類保持部90の長手方向の左右の両側に計２個形成している。
なお、第二平板部81を、２箇所に分けて形成したが、これに限定されず、単数、或いは３箇所以上に分けて形成しても良い。
【００４４】
第二平板部81は、弾性スライダ50が弾性スライダ50を裏表紙22の見開き面の上辺側から離れる位置にあるときに、図１に示すように、その押圧部53の内面により裏表紙22の見開き面に向かって押圧され、これにより第一平板部80がヒンジ82を介して裏表紙22の見開き面から離れる方向に移動して起立する。これに対し、弾性スライダ50が弾性スライダ50を裏表紙22の見開き面の上辺側に近づく位置にあるときには、図８に示すように、押圧部53の内面による第二平板部81に対する押圧力が開放される。
【００４５】
（書類挟み10の使用方法）
つぎに、上記した書類挟み10の使用方法について説明する。
まず、書類保持部40を、裏表紙22に添接した状態で、書類保持部40と裏表紙22とを共に挟むように弾性スライダ50を装着する。
書類30を綴じる際には、まず、弾性スライダ50を書類保持部40から引き抜く方向にスライド移動させる。
弾性スライダ50のスライド移動により、押圧部53の内面により第二平板部81が、裏表紙22の見開き面に向かって押圧され、第二平板部81の反対側に位置する第一平板部80に反対方向の力が作用し、第一平板部80がヒンジ82を中心に旋回する。
これにより、第一平板部80が、図１に示すように、裏表紙22の見開き面から離隔する方向に起立する。
このとき、突起部70は、弾性スライダ50の切り欠き部54内で相対的にスライドし、図１１に示すように、裏表紙22の下辺側に位置する切り欠き部54の下側端部と対向して位置する。
その後、書類30を、図３に示すように、裏表紙22の見開き面に沿って、第一平板部80の下側に差し込む。
【００４６】
つぎに、弾性スライダ50を、書類保持部40に向かって押し込んでスライド移動させる。
弾性スライダ50を書類保持部40に向かって押し込むと、その押圧部53の先端部により第一平板部80が裏表紙22の見開き面に向かって押圧される。
第一平板部80が押圧されると、第一平板部80と裏表紙22の見開き面との間に、図３に示すように、書類30の一部が挟み込まれる。これにより、書類保持部90が、図８に示すように、裏表紙22の見開き面に接近する方向に倒伏し、裏表紙22の見開き面との間に書類30が挟み込まれた状態に綴じられる。
このとき、突起部70は、弾性スライダ50の切り欠き部54内で相対的にスライドし、図１２に示すように、裏表紙22の上辺側に位置する切り欠き部54の上側端部と対向して位置する。
【００４７】
一方、書類30を外す際には、弾性スライダ50を書類保持部40から引き抜く方向、すなわち裏表紙22の見開き面の上辺側から離れる方向に引き出し、第一平板部80が起立する状態にする（図１参照）。
【符号の説明】
【００４８】
10  書類挟み
20  基板
21  表表紙        22  裏表紙
23  折曲部        24  窓部
25  段部          26  孔部
27  ボス穴
30  書類
40  書類保持部
50  弾性スライダ
51  摺動部        52  側壁部
53  押圧部        54  切り欠き部
55  窪み部
60  ベース部
61  立上り部      62  爪部
63  ボス          64  第一面部
65  第二面部
70  突起部        71  鍔部
80  第一平板部    81  第二平板部
82  ヒンジ        83  切欠部
【図１】
0005582852.tif 000002
【図２】
0005582852.tif 000003
【図３】
0005582852.tif 000004
【図４】
0005582852.tif 000005
【図５】
0005582852.tif 000006
【図６】
0005582852.tif 000007
【図７】
0005582852.tif 000008
【図８】
0005582852.tif 000009
【図９】
0005582852.tif 000010
【図１０】
0005582852.tif 000011
【図１１】
0005582852.tif 000012
【図１２】
0005582852.tif 000013